(57)【要約】【課題】医療従事者や医療施設についての将来の予測被曝線量を報知すること。【解決手段】標準線量記憶部３４は、複数の術式の種類の各々に標準被曝線量を関連付けて記憶する。スケジュール記憶部３５は、複数の医療従事者の各々の術式のスケジュールを記憶する。操作部４３は、複数の医療従事者のうちの管理対象者と管理対象者についての線量管理期間とをユーザからの指示に従って指定する。予測線量決定部４４１は、指定された管理対象者と線量管理期間とから、標準線量記憶部３４とスケジュール記憶部３５とを利用して、指定された線量管理期間における管理対象者の予測被曝線量を決定する。表示部４５は、決定された予測被曝線量を表示する。【選択図】      図１
2012146081.tif 000002
【特許請求の範囲】
【請求項１】
複数の術式の種類の各々に標準被曝線量を関連付けて記憶する標準線量記憶部と、
複数の医療従事者の各々の術式のスケジュールを記憶するスケジュール記憶部と、
前記複数の医療従事者のうちの管理対象者と前記管理対象者についての線量管理期間とをユーザからの指示に従って指定する指定部と、
前記管理対象者と前記線量管理期間とから、前記標準線量記憶部と前記スケジュール記憶部とを利用して、前記線量管理期間における前記管理対象者の予測被曝線量を決定する予測線量決定部と、
前記決定された予測被曝線量を表示する表示部と、
を具備する被曝線量管理システム。
【請求項２】
前記予測線量決定部は、前記線量管理期間において前記管理対象者が参加する予定の全ての術式を前記スケジュール記憶部の中から特定し、前記特定された全ての術式にそれぞれ関連付けられた全ての標準被曝線量を前記標準線量記憶部の中から特定し、前記特定された全ての標準被曝線量に基づいて前記予測被曝線量を決定する、請求項１記載の被曝線量管理システム。
【請求項３】
前記複数の医療従事者の各々の積算被曝線量を日付に関連付けて記憶する積算線量記憶部と、
前記線量管理期間のうちの過去期間における前記管理対象者の実測被曝線量を前記積算線量記憶部を利用して決定する実測線量決定部と、をさらに備え、
前記表示部は、前記決定された実測被曝線量を表示する、
請求項１記載の被曝線量管理システム。
【請求項４】
前記表示部は、前記予測被曝線量と前記実測被曝線量とを表示する、請求項３記載の被曝線量管理システム。
【請求項５】
前記表示部は、前記予測被曝線量と前記実測被曝線量とを、予め定められた前記線量管理期間における制限値とともに表示する、請求項４記載の被曝線量管理システム。
【請求項６】
前記表示部は、前記予測被曝線量と前記実測被曝線量との履歴を表示する、請求項４記載の被曝線量管理システム。
【請求項７】
前記表示部は、前記実測被曝線量を一定期間単位に区切って表示する、請求項３記載の被曝線量管理システム。
【請求項８】
前記表示部は、前記過去期間の前記実測被曝線量と、過去に前記予測線量決定部により決定され、前記過去期間と同一日時の予測被曝線量とを表示する、請求項３記載の被曝線量管理システム。
【請求項９】
複数の術式の種類の各々に標準被曝線量を関連付けて記憶する標準線量記憶部と、
医療施設における術式のスケジュールを記憶するスケジュール記憶部と、
前記医療施設についての線量管理期間をユーザからの指示に従って指定する指定部と、
前記線量管理期間から、前記標準線量記憶部と前記スケジュール記憶部とを利用して、前記医療施設内の全医療従事者の前記線量管理期間における予測被曝線量を決定する予測線量決定部と、
前記決定された予測被曝線量を表示する表示部と、
を具備する被曝線量管理システム。
【請求項１０】
前記予測線量決定部は、前記線量管理期間において前記全医療従事者が参加する予定の全ての術式を前記スケジュール記憶部の中から特定し、前記特定された全ての術式にそれぞれ関連付けられた全ての標準被曝線量を前記標準線量記憶部の中から特定し、前記特定された全ての標準被曝線量に基づいて前記予測被曝線量を決定する、請求項９記載の被曝線量管理システム。
【請求項１１】
コンピュータに、
管理対象者と前記管理対象者の線量管理期間とをユーザからの指示に従って指定する機能と、
前記管理対象者と前記線量管理期間とから、複数の術式の種類の各々に標準被曝線量を関連付けて記憶する標準線量記憶部と複数の医療従事者の各々の術式のスケジュールを記憶するスケジュール記憶部とを利用して、前記管理対象者の前記線量管理期間における予測被曝線量を決定する機能と、
前記決定された予測被曝線量を表示する機能と、
を実現させる被曝線量管理プログラム。
【請求項１２】
コンピュータに、
医療施設についての線量管理期間をユーザからの指示に従って指定する機能と、
前記線量管理期間から、複数の術式の種類の各々に標準被曝線量を関連付けて記憶する標準被曝線量記憶部と前記医療施設における術式のスケジュールを記憶するスケジュール記憶部とを利用して、前記医療施設内の全医療従事者の前記線量管理期間における予測被曝線量を決定する機能と、
前記決定された予測被曝線量を表示する機能と、
を実現させる被曝線量管理プログラム。
【発明の詳細な説明】
【技術分野】
【０００１】
本発明の実施形態は、被曝線量管理システム及び被曝線量管理プログラムに関する。
【背景技術】
【０００２】
Ｘ線診断装置やＸ線コンピュータ断層撮影装置を利用した術式の術者や補助者（スタッフ）等の医療従事者は、検査時においてＸ線に被曝されている。被曝線量の管理のために、医療従事者は、ポケット線量計やフィルムバッジを装着している。ポケット線量計により、装着部位の漏れＸ線量をリアルタイムにモニタリングすることができる。また、フィルムバッジにより、装着部位の積算Ｘ線量をモニタリングし、一定期間後に積算Ｘ線量を報知することができる。
【先行技術文献】
【特許文献】
【０００３】
【特許文献１】特開２００４―６５８１５号公報
【特許文献２】特開２００５―２５３６８９号公報
【特許文献３】特開２００９―２１３７０９号公報
【発明の概要】
【発明が解決しようとする課題】
【０００４】
目的は、医療従事者や医療施設についての将来の予測被曝線量を報知することができる被曝線量管理システム及び被曝線量管理プログラムを提供することにある。
【課題を解決するための手段】
【０００５】
本実施形態に係る被曝線量管理システムは、複数の術式の種類の各々に標準被曝線量を関連付けて記憶する標準線量記憶部と、複数の医療従事者の各々の術式のスケジュールを記憶するスケジュール記憶部と、前記複数の医療従事者のうちの管理対象者と前記管理対象者についての線量管理期間とをユーザからの指示に従って指定する指定部と、前記管理対象者と前記線量管理期間とから、前記標準線量記憶部と前記スケジュール記憶部とを利用して、前記線量管理期間における前記管理対象者の予測被曝線量を決定する予測線量決定部と、前記決定された予測被曝線量を表示する表示部と、を具備する。
【図面の簡単な説明】
【０００６】
【図１】本実施形態に係る被曝線量管理システムの構成を示す図。
【図２】図１の被曝線量管理システム内の情報の流れを示す図。
【図３】図１の線量決定装置の制御部の制御のもとに行われる被曝線量決定処理の典型的な流れを示す図。
【図４】図３のステップＳＡ２において予測線量決定部により実行される予測被曝線量の決定処理の典型的な流れを示す図。
【図５】図３のステップＳＡ４において表示部により表示される予測被曝線量と実測被曝線量との表示レイアウトの一例を示す図。
【図６】変形例に係る線量決定装置の制御部の制御のもとに行われる被曝線量決定処理の典型的な流れを示す図。
【図７】図６のステップＳＢ２において予測線量決定部により実行される予測被曝線量の決定処理の典型的な流れを示す図。
【図８】図６のステップＳＢ４において表示部により表示される予測被曝線量と実測被曝線量との表示レイアウトの一例を示す図。
【発明を実施するための形態】
【０００７】
以下、図面を参照しながら本実施形態に係わる被曝線量管理システム及び被曝線量管理プログラムを説明する。
【０００８】
本実施形態に係る被曝線量管理システムは、例えば、病院等の医療施設に構築される。被曝線量管理システムは、医用画像診断装置を利用した検査時における医療従事者の被曝線量を管理するコンピュータシステムである。本実施形態に係る医用画像診断装置としては、Ｘ線診断装置やＸ線コンピュータ断層撮影装置、核医学診断装置等が利用可能である。以下の説明を具体的に行うため、医用画像診断装置は、Ｘ線診断装置であるとする。また、医療従事者としては、実際に検査を行う術者や術者をサポートするための補助者（スタッフ）が含まれるものとする。
【０００９】
図１は、本実施形態に係る被曝線量管理システム１の構成を示す図である。図２は、被曝線量管理システム１内の情報の流れを示す図である。図１と図２とに示すように、被曝線量管理システム１は、互いにネットワークを介して接続されたＸ線診断装置１０、線量計２０、ＨＩＳ（hospital information system）／ＲＩＳ（radiology information system）装置３０、及び線量決定装置４０を有する。
【００１０】
Ｘ線診断装置１０は、検査室に設けられる。Ｘ線診断装置１０は、処理部１１を中枢として高電圧発生装置１２、Ｘ線管装置１３、Ｘ線検出器１４、及び入出力部１５を有する。処理部１１は、検査プロトコルを管理している。検査プロトコルは、検査の術式の種類を特定するためのデータを含んでいる。Ｘ線診断装置１０を利用した術式の種類としては、例えば、単なるＸ線撮影とＸ線透視におけるインターベンションとに大別される。インターベンションとしては、例えば、カテーテルやステントを利用した血管形成術や血管塞栓術、アブレーションカテーテルを利用した不整脈治療等の様々な術式がある。高電圧発生装置１２は、処理部１１の制御に従ってＸ線管装置１３に高電圧を印加する。Ｘ線管装置１３は、高電圧の印加を受けてＸ線を発生する。Ｘ線検出器１４は、Ｘ線管装置１３から発生され被検体Ｐを透過したＸ線を検出し、被検体Ｐに関するＸ線画像のデータを発生する。Ｘ線管装置１３からのＸ線の一部は、被検体Ｐにより散乱される。医療従事者は、この散乱Ｘ線等により被曝される場合がある。入出力部１５は、検査プロトコルのデータをネットワークを介してＨＩＳ／ＲＩＳ装置３０に送信する。
【００１１】
線量計２０は、医療従事者の被曝線量を測定する装置である。具体的には、線量計２０は、検出部２１、入出力部２２、及び処理部２３を有している。検出部２１は、医療従事者の特定の装着部位に装着される。装着部位としては、例えば、胸部や腹部等の人体部位が挙げられる。検出部２１としては、ポケット線量計やフィルムバッジ等が利用される。検出部２１は、装着部位に到達したＸ線を検出し、検出されたＸ線の線量に応じた電気信号を発生する。発生された電気信号は、ケーブルを介して入出力部２２に入力される。処理部２３は、入出力部２２に入力された電気信号の強度に基づいて被曝線量を算出する。被曝線量は、検査単位で積算される。積算線量は、術者やスタッフ等の医療従事者単位、あるいは装着部位単位（人体部位単位）で管理される。積算線量のデータは、医療従事者名、人体部位名、検査日時、及び術式の種類に関連付けて、入出力部２２によりネットワークを介してＨＩＳ／ＲＩＳ装置３０に送信される。
【００１２】
ＨＩＳ／ＲＩＳ装置３０は、術式や医療従事者に関するデータを管理するコンピュータ端末である。ＨＩＳ／ＲＩＳ装置３０は、データ処理部３１を中枢として、入出力部３２、積算線量記憶部３３、標準線量記憶部３４、及びスケジュール記憶部３５を有する。入出力部３２は、ネットワークを介してＸ線診断装置１０、線量計２０、及び線量決定装置３０との間で種々のデータの送受信を行う。積算線量記憶部３３は、積算線量のデータを医療従事者名、人体部位名、検査日時、及び術式の種類に関連付けて記憶する。標準線量記憶部３４は、複数の術式の種類の各々に標準被曝線量のデータを関連付けて記憶する。具体的には、標準線量記憶部３４は、術式の種類のコードと標準被曝線量とを関連付けたテーブル（以下、標準被曝線量テーブルと呼ぶ）を記憶する。標準被曝線量は、その術式の検査が通常通りに行われる場合における、医療従事者の検査中の平均的な積算被曝線量である。例えば、標準被曝線量は、積算線量記憶部３３に術式の種類毎に記憶されている過去の積算線量に基づいて算出されてもよい。また、標準被曝線量は、ユーザにより任意の値に設定されても良い。スケジュール記憶部３５は、複数の医療従事者の各々についての術式のスケジュール（臨床参画計画）を記憶する。各医療従事者のスケジュールは、検査日時とその日時に参加する予定の検査の術式の種類のコードとが対応付けられている。例えば、医療従事者Ａが術式Ｂの検査にＣ月Ｄ日のＥ時からＦ時まで参加する等の情報がスケジュールに含まれている。
【００１３】
線量決定装置４０は、ネットワークに接続されたコンピュータ端末である。線量決定装置４０は、制御部４１を中枢として、入出力部４２、操作部４３、線量決定部４４、表示部４５、及び記憶部４６を有している。
【００１４】
入出力部４２は、ネットワークを介してＨＩＳ／ＲＩＳ装置３０との間で種々のデータの送受信を行う。また、入出力部４２は、操作部４３を介して入力された入力信号を制御部４１に供給する。
【００１５】
操作部４３は、入力機器を介したユーザからの各種指示を受け付ける。ユーザからの指示に応じた入力信号は、入出力部４２を介して制御部４１に供給される。例えば、操作部４３は、管理対象者と管理対象者についての線量管理期間とをユーザによる入力機器を介した指示に従って指定する。管理対象者は、スケジュール記憶部３５において術式のスケジュール管理がなれされている複数の医療従事者の中から指定される。線量管理期間は、線量決定部４４による被曝線量の決定対象期間である。線量管理期間は、線量決定処理時後の未来の期間と線量決定処理時前の過去の期間との両方を含むものとする。未来期間においては、管理対象者の予測被曝線量が決定される。過去期間においては、管理対象者の実測被曝線量が決定される。なお、入力機器としては、マウスやトラックボールなどのポインティングデバイス、モード切替スイッチ等の選択デバイス、あるいはキーボード等の入力デバイスが適宜利用可能である。
【００１６】
線量決定部４４は、指定された管理対象者の線量管理期間における被曝線量を決定する。具体的には、線量決定部４４は、予測線量決定部４４１と実測線量決定部４４２とを有している。予測線量決定部４４１は、管理対象者と線量管理期間（未来期間）とから、標準線量記憶部３４とスケジュール記憶部３５とを利用して、未来期間における管理対象者の予測被曝線量を決定する。実測線量決定部４４２は、線量管理期間（過去期間）における管理対象者の実測被曝線量を、積算線量記憶部３３を利用して決定する。
【００１７】
表示部４５は、種々の情報や操作画面等を表示機器に表示する。具体的には、表示部４５は、線量決定部４４により決定された予測被曝線量や実測被曝線量を表示機器に所定の表示レイアウトで表示する。表示機器としては、例えばＣＲＴディスプレイや、液晶ディスプレイ、有機ＥＬディスプレイ、プラズマディスプレイ等が適宜利用可能である。
【００１８】
記憶部４６は、ＨＩＳ／ＲＩＳ装置３０から入出力部４２を介して入力された種々のデータを記憶する。また、記憶部４６は、被曝線量管理プログラムを記憶している。
【００１９】
制御部４１は、線量決定装置４０の中枢として機能する。制御部４１は、記憶部４６から被曝線量管理プログラムを読み出して、読み出された被曝線量管理プログラムに従って線量決定装置４０内の各部を制御する。被曝線量管理プログラムの実行により、管理対象者の線量管理期間における予測被曝線量が決定され、線量決定装置４０のユーザに報知される。
【００２０】
以下、本実施形態に係る被曝線量管理システム１の動作例について説明する。
【００２１】
図３は、制御部４１の制御のもとに行われる被曝線量決定／報知処理の典型的な流れを示す図である。
【００２２】
ユーザにより操作部４３を介して被曝線量決定／報知処理の開始指示がなれることを契機として制御部４１は、記憶部４６から被曝線量管理プログラムを読み出して、被曝線量管理プログラムを実行することにより被曝線量決定／報知処理を開始する。
【００２３】
被曝線量決定／報知処理において、まず、制御部４１は、ユーザにより操作部４３を介して管理対象者と線量管理期間とが指定されることを待機する（ステップＳＡ１）。管理対象者は、医療従事者名の入力により指定される。線量管理期間は、例えば、月単位や週単位、日単位で指定される。線量管理期間のうちの未来期間と過去期間とは、予め定められたルールに従って、線量管理期間から自動的に割り振られる。例えば、線量管理期間が１ヶ月の場合、１週間分は未来期間に設定され、残りの３週間分は過去期間に設定されるとよい。なお、未来期間と過去期間とを操作部４３を介して個別に指定してもよい。
【００２４】
ステップＳＡ１が行われると制御部４１は、線量決定部４４の予測線量決定部４４１に予測被曝線量の決定処理を行わせる（ステップＳＡ２）。ステップＳＡ２において予測線量決定部４４１は、線量管理期間において管理対象者が参加する予定の全ての術式をスケジュール記憶部３５の中から特定し、特定された全ての術式にそれぞれ関連付けられた全ての標準被曝線量を標準線量記憶部３４の中から特定し、特定された全ての標準被曝線量に基づいて予測被曝線量を決定する。以下にステップＳＡ２の処理を具体的に説明する。
【００２５】
図４は、予測線量決定部４４１による予測被曝線量の決定処理の典型的な流れを示す図である。図４に示すように、予測線量決定部４４１は、管理対象者の術式のスケジュールから、未来期間において管理対象者が参加する予定の全ての術式を特定する（ステップＳＡ２１）。具体的には、まず、制御部４１による制御に従って入出力部４２は、ＨＩＳ／ＲＩＳ装置３０のスケジュール記憶部３５から管理対象者のスケジュールのデータをネットワークを介して受信する。受信されたスケジュールのデータは、制御部４１を介して予測線量決定部４４１に供給される。予測線量決定部４４１は、供給されたスケジュールから未来期間において管理対象者が参加する予定の全ての術式を特定する。より詳細には、未来期間に含まれる検査日時を検索キーとしてスケジュールを検索し、検索キーに対応付けられた術式の種類をカウントする。これにより未来期間において管理対象者が参加する予定の術式の種類と回数とが特定される。例えば、「現時点から１週間以内において術式Ａが３回、術式Ｂが２回行われる」というような情報が特定される。
【００２６】
なお、管理対象者のスケジュールのデータは、予め記憶部４６に記憶されていてもよい。この場合、ステップＳＡ２１において、制御部４１により記憶部４６から管理対象者のスケジュールのデータが予測線量決定部４４１に供給される。予測線量決定部４４１は、このスケジュールを上述のように利用して術式を特定する。
【００２７】
ステップＳＡ２１が行われると予測線量決定部４４１は、標準被曝線量テーブルから、ステップＳＡ２１において特定された術式の種類の標準被曝線量を特定する（ステップＳＡ２２）。具体的には、まず、制御部４１による制御に従って入出力部４２は、ＨＩＳ／ＲＩＳ装置３０の標準線量記憶部３４から標準被曝線量テーブルのデータをネットワークを介して受信する。受信された標準被曝線量テーブルのデータは、制御部４１を介して予測線量決定部４４１に供給される。予測線量決定部４４１は、ステップＳＡ２１において特定された術式の種類を検索キーとして標準被曝線量テーブルを検索し、検索キーに標準被曝線量テーブル上で関連付けられた標準被曝線量を特定する。例えば、「術式Ａの標準被曝線量は１０ｍＳｖ、術式Ｂの標準被曝線量は５ｍＳｖである」というような情報が特定される。
【００２８】
なお、標準被曝線量テーブルのデータは、予め記憶部４６に記憶されていてもよい。この場合、ステップＳＡ２２において、制御部４１により記憶部４６から標準被曝線量テーブルのデータが予測線量決定部４４１に供給される。予測線量決定部４４１は、この標準被曝線量テーブルを上述のように利用して標準被曝線量を特定する。
【００２９】
ステップＳＡ２２が行われると予測線量決定部４４１は、管理対象者の未来期間における予測被曝線量を決定する（ステップＳＡ２３）。より詳細には、予測線量決定部４４１は、術式の種類毎に、ステップＳＡ２２において特定された標準被曝線量を未来期間において予定されている回数分だけ加算する。これにより、術式の種類毎に標準被曝線量の加算値が計算される。計算された加算値が予測被曝線量として利用される。また、医療従事者の検査の参加時間や、医療従事者とＸ線診断装置１０との間の距離に応じたパラメータを加算値に乗じることにより予測被曝線量を計算してもよい。
【００３０】
ステップＳＡ２３が行われると予測線量決定部４４１による予測線量決定処理が終了する。
【００３１】
また、ステップＳＡ１が行われると制御部４１は、ステップＳＡ２と平行して、線量決定部４４の実測線量決定部４４２に実測被曝線量の決定処理を行わせる（ステップＳＡ３）。ステップＳＡ３において実測線量決定部４４２は、ステップＳＡ１において指定された管理対象者と線量管理期間とから、過去期間において管理対象者が実際に被曝した線量（実測被曝線量）を、積算線量記憶部３３を利用して決定する。具体的には、まず、制御部４１による制御に従って入出力部４２は、ＨＩＳ／ＲＩＳ装置３０の積算線量記憶部３３から管理対象者に関する積算線量の一覧のデータをネットワークを介して受信する。受信された一覧のデータは、制御部４１を介して実測線量決定部４４２に供給される。実測線量決定部４４２は、供給された一覧から過去期間における実測被曝線量を特定する。より詳細には、過去期間に含まれる検査日時を検索キーとして一覧を検索し、検索キーに対応付けられた積算線量を積算する。積算線量の積算値が実測被曝線量として算出される。
【００３２】
ステップＳＡ２及びＳＡ３が行われると制御部４１は、表示部４５に表示処理を行わせる（ステップＳＡ４）。ステップＳＡ４において表示部４５は、ステップＳＡ２で決定された予測被曝線量とステップＳＡ３で決定された実測被曝線量とを所定の表示レイアウトで表示する。
【００３３】
図５は、予測被曝線量と実測被曝線量との表示レイアウトの一例を示す図である。なお図５において、線量管理期間は１ヶ月であり、未来期間は１週間、過去期間は３週間であるとする。予測被曝線量ＹＳと実測被曝線量ＺＳとは、例えば、縦軸が線量値に規定され、横軸が線量管理期間の基準時間（換言すれば、線量決定処理が行われた時点）に規定された棒グラフで表示される。一つの基準時間における予測被曝線量と実測被曝線量との合計が１本の棒線で表されている。図５においては、基準時間が先週に関する棒線と今週に関する棒線とが示されている。すなわち、棒線Ｂ１の高さは、先週において線量決定部４４により決定された予測被曝線量と実測被曝線量との合計を示しており、棒線Ｂ２の高さは、今週において線量決定部４４により決定された予測被曝線量と実測被曝線量との合計を示している。
【００３４】
図５に示すように、より詳細に被曝線量を検討するために、表示部４５は、合計値を一定期間単位に分割して表示すると良い。例えば、図５の場合、過去期間の実測被曝線量ＺＳが１週間単位に区切られて示されている。具体的には、過去期間全体の実測被曝線量ＺＳは、基準時間から起算した今週の実測被曝線量ＺＳ１、先週の実測被曝線量ＺＳ２、及び先々週の実測被曝線量ＺＳに区切られている。なお、棒線Ｂ１の予測被曝線量ＹＳ及び棒線Ｂ２の実測被曝線量ＺＳ１は、同一期間の被曝線量を表している。同様に、棒線Ｂ１の実測被曝線量ＺＳ１及び棒線Ｂ２の実測被曝線量ＺＳ２、棒線Ｂ１の実測被曝線量ＺＳ２及び棒線Ｂ２の実測被曝線量ＺＳ３は、同一期間の被曝線量を表している。
【００３５】
図５に示すように、表示部４５は、合計値を、予め設定された制限値とともに表示するとよい。制限値は、線量管理期間（図５において１ヶ月）において許容される被曝線量の上限値である。制限値は、線量管理期間に応じて予め定められている。制限値は、積算線量記憶部３３に記憶されている積算線量に基づいて算出されてもよい。このように合計値と制限値とが表示されることにより、線量管理期間において管理対象者の被曝線量が制限値を越えているか否かを確認することができる。
【００３６】
また、表示部４５は、合計値の履歴を表示するとよい。例えば、合計値の履歴として、図５に示すように、先週の棒線Ｂ１と今週の棒線Ｂ２とが同一グラフ上で表示される。このように合計値の履歴を表示することにより、被曝低減効果を確認することができる。より詳細に被曝低減効果を確認するために、表示部４５は、同一日時における予測被曝線量と実測被曝線量とを同一グラフ上に表示するとよい。例えば、図５に示すように、先週が基準時間の棒線Ｂ１における「来週の予測被曝線量ＹＳ」と今週が基準時間の棒線Ｂ２における「今週の実測被曝線量ＺＳ１」とを同一グラフ上に表示することにより、今週における被曝低減効果の理解を促進することができる。
【００３７】
ステップＳＡ４が行われると制御部４１は、被曝線量決定／報知処理を終了する。
【００３８】
なお、ステップＳＡ１においてさらに人体部位が指定されてもよい。人体部位は、胸や腹等の人体部位名の入力により指定される。人体部位が指定された場合、線量管理期間内の未来期間における管理対象者の指定部位（指定された人体部位）に関する予測被曝線量がステップＳＡ２において決定され、過去期間における管理対象者の指定部位に関する実測被曝線量がステップＳＡ３において決定される。そしてステップＳＡ４において指定部位に関する予測被曝線量と実測被曝線量とが表示部４５に表示される。
【００３９】
上記のように本実施形態に係る被曝線量管理システム１は、これから予想される予測被曝線量を医療従事者等に報知することができる。従って、被曝線量管理システム１は、医療従事者の臨床参画計画の修正や被曝線量の低減対策へのフィードバック等により、被曝線量が制限値を越えてしまうことを未然に防止することができる。また、同一日時に関する予測被曝線量と実測被曝線量とが並べて表示されることにより、医療従事者等は、被曝低減効果を確認することができる。従って、被曝線量管理システム１は、医療従事者の被曝線量に対する意識を高めることにつながる。
【００４０】
かくして本実施形態に係る被曝線量管理システム及び被曝線量管理プログラムは、医療従事者についての将来の予測被曝線量を報知することができる。
【００４１】
（変形例）
本実施形態に係る被曝線量管理システム１は、各医療従事者について被曝線量を決定／報知するとした。変形例に係る被曝線量管理システム１は、医療施設全体について被曝線量を決定／報知する。以下、変形例に係る被曝線量管理システム１について説明する。なお以下の説明において、本実施形態と略同一の機能を有する構成要素については、同一符号を付し、必要な場合にのみ重複説明する。
【００４２】
図６は、変形例に係る制御部４１の制御のもとに行われる被曝線量決定／報知処理の典型的な流れを示す図である。
【００４３】
ユーザにより操作部４３を介して被曝線量決定／報知処理の開始指示がなれることを契機として制御部４１は、記憶部４６から被曝線量管理プログラムを読み出して、被曝線量管理プログラムを実行することにより被曝線量決定／報知処理を開始する。
【００４４】
被曝線量決定／報知処理において、まず、制御部４１は、ユーザにより操作部４３を介して線量管理期間が指定されることを待機する（ステップＳＢ１）。この際、ユーザは、管理対象が医療施設全体であることを操作部４３を介して指定してもよい。
【００４５】
ステップＳＢ１が行われると制御部４１は、線量決定部４４の予測線量決定部４４１に予測被曝線量の決定処理を行わせる（ステップＳＢ２）。ステップＳＢ２において予測線量決定部４４１は、線量管理期間において全医療従事者が参加する予定の全ての術式をスケジュール記憶部３５の中から特定し、特定された全ての術式にそれぞれ関連付けられた全ての標準被曝線量を標準線量記憶部３４の中から特定し、特定された全ての標準被曝線量に基づいて医療施設全体の予測被曝線量を決定する。以下にステップＳＢ２の処理を具体的に説明する。
【００４６】
図７は、予測線量決定部４４１による予測被曝線量の決定処理の典型的な流れを示す図である。図７に示すように、予測線量決定部４４１は、医療施設に勤める全医療従事者の術式のスケジュールから、未来期間において全医療従事者が参加する予定の全ての術式を特定する（ステップＳＢ２１）。具体的には、予測線量決定部４４１は、スケジュールから未来期間において全医療従事者が参加する予定の全ての術式を特定する。より詳細には、未来期間に含まれる検査日時を検索キーとして全医療従事者のスケジュールを検索し、検索キーに対応付けられた術式の種類をカウントする。これにより未来期間において全医療従事者が参加する予定の術式の種類と回数とが特定される。
【００４７】
ステップＳＢ２１が行われると予測線量決定部４４１は、標準被曝線量テーブルから、ステップＳＢ２１において特定された術式の種類の標準被曝線量を特定する（ステップＳＢ２２）。
【００４８】
ステップＳＢ２２が行われると予測線量決定部４４１は、未来期間における医療施設全体の予測被曝線量を決定する（ステップＳＢ２３）。
【００４９】
ステップＳＢ２３が行われると予測線量決定部４４１による予測線量決定処理が終了する。
【００５０】
また、ステップＳＢ１が行われると制御部４１は、ステップＳＢ２と平行して、線量決定部４４の実測線量決定部４４２に実測被曝線量の決定処理を行わせる（ステップＳＢ３）。ステップＳＢ３において実測線量決定部４４２は、ステップＳＢ１において指定された線量管理期間から、過去期間において全医療従事者が実際に被曝した線量（実測被曝線量）を、積算線量記憶部３３を利用して決定する。具体的には、医療施設に勤める全医療従事者に関する積算線量の一覧から、過去期間における実測被曝線量の平均値を特定する。より詳細には、過去期間に含まれる検査日時を検索キーとして全医療従事者に関する一覧を検索し、検索キーに対応付けられた積算線量を積算する。次に、検査にかかわった医療従事者の延べ人数で積算線量を割ることにより積算線量の平均値を算出する。この値が医療施設全体の実測被曝線量の平均値として算出される。
【００５１】
ステップＳＢ２及びＳＢ３が行われると制御部４１は、表示部４５に表示処理を行わせる（ステップＳＢ４）。ステップＳＢ４において表示部４５は、ステップＳＢ２で決定された予測被曝線量とステップＳＢ３で決定された実測被曝線量とを所定の表示レイアウトで表示する。
【００５２】
図８は、予測被曝線量と実測被曝線量との表示レイアウトの一例を示す図である。なお図８において、線量管理期間は１ヶ月であり、未来期間は１週間、過去期間は３週間であるとする。予測被曝線量ＹＳと実測被曝線量（より詳細には、実測被曝線量の平均値）ＺＳとは、別々の棒線により表示される。過去期間の実測被曝線量ＺＳは、今週分の実測被曝線量ＺＳ１、先週分の実測被曝線量ＺＳ２、先々週分の実測被曝線量ＺＳ３というように一週間毎に表示される。予測被曝線量ＹＳは、上述のように、過去の実際の積算被曝線量に基づいて算出されている。従ってユーザは、実測被曝線量ＺＳと予測被曝線量ＹＳとを比較することにより、被曝低減効果を確認することができる。また実測被曝線量ＺＳの履歴を確認することでユーザは、被曝低減効果の進捗を確認することができる。また、図８に示すように、表示部４５は、予め設定された制限値とともに予測被曝線量ＹＳや実測被曝線量ＺＳを表示するとよい。これによりユーザは、予測被曝線量ＹＳや実測被曝線量ＺＳが制限値を越えてしまうか否かを確認することができる。
【００５３】
ステップＳＢ４が行われると制御部４１は、被曝線量決定／報知処理を終了する。
【００５４】
なお、ステップＳＢ１においてさらに人体部位が指定されてもよい。人体部位が指定された場合、指定された線量管理期間内の未来期間における医療施設全体の指定部位（指定された人体部位）に関する予測被曝線量がステップＳＢ２において決定され、過去期間における医療施設全体の指定部位に関する実測被曝線量がステップＳＢ３において決定される。そしてステップＳＢ４において指定部位に関する予測被曝線量と実測被曝線量とが表示部４５に表示される。
【００５５】
かくして本実施形態の変形例に係る被曝線量管理システム及び被曝線量管理プログラムは、医療施設全体についての将来の予測被曝線量を報知することができる。
【００５６】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれるものである。
【符号の説明】
【００５７】
１…被爆線量管理システム、１０…Ｘ線診断装置、１１…処理部、１２…高電圧発生装置、１３…Ｘ線管装置、１４…Ｘ線検出器、１５…入出力部、２０…線量計、２１…検出部、２２…入出力部、２３…処理部、３０…ＨＩＳ／ＲＩＳ装置、３１…データ処理部、３２…入出力部、３３…積算線量記憶部、３４…標準線量記憶部、３５…スケジュール記憶部、４０…線量決定装置、４１…制御部、４２…入出力部、４３…操作部、４４…線量決定部、４５…表示部、４６…記憶部、４４１…予測線量決定部、４４２…実測線量決定部
【図１】
2012146081.tif 000003
【図２】
2012146081.tif 000004
【図３】
2012146081.tif 000005
【図４】
2012146081.tif 000006
【図５】
2012146081.tif 000007
【図６】
2012146081.tif 000008
【図７】
2012146081.tif 000009
【図８】
2012146081.tif 000010